(57)【要約】  【課題】最下段の引出し貯蔵室の内容積と奥行きを最大化すると共に、圧縮機を配置するための庫内最上段奥部のでっぱりを軽減し、かつ庫内の冷却効果を向上させる。  【解決手段】断熱箱体１は第一の天面部２５と第二の天面部２６有して冷蔵庫の天面部に段差部２６ａを形成しており、第二の天面部に圧縮機１６を配置し、段差部２６ａと相対する庫内側に形成された庫内凸部４０に冷気を通風するダクト４３を導き、段差部２６ａの前方および下方にダクト４３と連通する冷気通風孔４２を設けた構成とする。  これによって、ダクト部の庫内へのでっぱりを最小限におさえ、収納性を高めるとともに庫内の冷却効果を向上させることができ、下段の貯蔵室の内容積と奥行きを拡大することができる。【選択図】図１
2006064330.tif 000002
【特許請求の範囲】
【請求項１】
冷蔵庫本体は、第一の天面部と、冷蔵庫背面側で前記第一の天面部より低い位置に設けた第二の天面部とを有して前記冷蔵庫本体の天面部に段差部を形成し、前記第二の天面部に圧縮機を設け、前記段差部と相対する庫内側に形成された庫内凸部に冷蔵庫庫内を冷却する冷気を通風するダクトを導くとともに前記庫内凸部の前面または下面に前記ダクトと連通する冷気通風孔を設けた冷蔵庫。
【請求項２】
前記冷気通風孔は前記庫内凸部の前面側下部の角部に設けた請求項１に記載の冷蔵庫。
【請求項３】
前記庫内凸部に設けた前記冷気通風孔を正面から見て左右に離れて複数箇所に設けた請求項１または２に記載の冷蔵庫。
【請求項４】
前記庫内凸部に温度センサーを設けた請求項１から３のいずれか一項に記載の冷蔵庫。
【請求項５】
冷蔵庫本体は、前記第二の天面部の冷蔵庫背面側で前記第二の天面部より低い位置に第三の天面部を有して、前記段差部より冷蔵庫背面側で前記段差部より低い位置に第二の段差部を形成し、前記第三の天面部の上方空間に制御基板と冷媒配管の一部を設け、前記第二の段差部と相対する庫内側に形成された庫内第二凸部に冷蔵庫庫内を冷却する冷気を通風するダクトを導くとともに前記庫内第二凸部に前記ダクトと連通する冷気通風孔を設けた請求項１から４のいずれか一項に記載の冷蔵庫。
【請求項６】
前記庫内凸部に設けた前記冷気通風孔を正面から見て少なくとも中心から左右方向に庫内幅の半分程度の範囲内に設けた請求項１に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図８は、特許文献１に記載された従来の冷蔵庫の構成を示すものである。
【０００５】
図８に示すように、断熱箱体１は、上から順に、冷蔵室２、冷凍室３、野菜室４を有し冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引出しタイプの冷凍室引出し扉６と野菜室引出し扉７を設けてある。冷蔵室２の庫内には複数の収納棚８が設けられており、冷凍室３と野菜室４には上面開口形状の収納容器９が取り付けてある。この収納容器９は図示しない前後方向のレールに、ローラで前後方向へ移動可能に支持されている。
【０００６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００７】
冷凍サイクルの構成機器である圧縮機１６と凝縮器１７は機械室ファン１８と共に凹部１０内に収まるように配設され、凹部カバー１５にて覆われている。また、凹部カバー１５の上板１３と背板１４には、放熱のために複数の通風孔１９が設けられている。
【０００８】
また、冷凍サイクルの構成機器である蒸発器２０は冷凍室２の後背部に冷却ファン２１と共に配設されており、最下部の貯蔵室である野菜室４は奥行き深く構成してある。
【０００９】
これにより、断熱箱体１の背面下部に圧縮機１６や凝縮器１７を収納するものと比較して、野菜室４の内容積を大きく、深く構成できる。
【特許文献１】特開２００１−９９５５２号公報
【発明の開示】
【発明が解決しようとする課題】
【００１０】
しかしながら、上記従来の構成では、圧縮機や凝縮器や冷媒配管や制御基板を収納する凹部が大きいので冷蔵室庫内の天面奥部がでっぱり、内容積が減少するとともに、冷蔵室のスッキリ感を阻害し、手狭な印象を与える。
【００１１】
また、冷蔵庫の制御基板は省エネルギー化や高機能化に伴い、どんどん複雑化、そして大型化している。また省エネや静音化のために用いられるインバーター圧縮機の制御回路のコンデンサや放熱フィン、さらには電源トランスなど制御基板の高さ方向についても大型化が進んでおり、制御基板を収納するためには非常に大きな空間が必要となっている。さらに、庫内側では冷却するため天面または背面に冷却用のダクトをもうけることにより冷蔵室の庫内へのでっぱりは大きくなり、庫内の容量が減り、棚の収納性が悪くなる問題があった。
【００１２】
本発明は、上記従来の課題を解決するもので、最下段の貯蔵室の内容積を拡大するのに加え、冷蔵庫の全高寸法を著しく大きくすることなく、冷蔵室内へのでっぱりを小さくして内容積の拡大を図るとともに、庫内の容積を減らすことなく冷却用ダクトを設置して、庫内のでっぱりをなくすと共に収納性を向上させる冷蔵庫を提供することを目的とする。
【課題を解決するための手段】
【００１３】
上記従来の課題を解決するために、本発明の冷蔵庫は、冷蔵庫本体は、第一の天面部と、冷蔵庫背面側で前記第一の天面部より低い位置に設けた第二の天面部と、前記第一の天面部と前記第二の天面部とを接続する段差部とを有し、前記第二の天面部に圧縮機を設け、前記第二の天面部および前記段差部と相対する庫内側に形成された庫内凸部に冷蔵庫庫内を冷却する冷気を通風するダクトを導くとともに前記庫内凸部の前面または下面に前記ダクトと連通する冷気通風孔を設けたことを特徴とする。
【００１４】
これによって、庫内側の凸部の壁厚を利用して庫内へ冷気を循環させる冷気通風孔を設けることができ、冷却ダクト部を庫内に突出することなく、最上段の収納性を確保したままダクトを構成することができる。また、前方だけでなく下方にも冷気通風孔を設けることが可能となるため、下段の棚への冷却も容易にできる。さらに、比較的手前にあるため、冷えにくい最上段の棚やドア棚上部まで冷気が届きやすく、冷却効率が向上するとともに、庫内の温度バラツキも低減できる。
【発明の効果】
【００１５】
本発明の冷蔵庫は、最下段の貯蔵室の内容積と奥行きを拡大するのに加え、庫内側に冷却用のダクトを設けても、庫内の容量を減らすことなく、収納性を向上させることができる。また、圧縮機周辺の冷媒配管の組立て作業性やサービス作業性を十分確保することができる。
【発明を実施するための最良の形態】
【００１６】
請求項１に記載の発明の冷蔵庫本体は、第一の天面部と、冷蔵庫背面側で前記第一の天面部より低い位置に設けた第二の天面部と、前記第一の天面部と前記第二の天面部とを接続する段差部とを有し、前記第二の天面部に圧縮機を設け、前記第二の天面部および前記段差部と相対する庫内側に形成された庫内凸部に冷蔵庫庫内を冷却する冷気を通風するダクトを導くとともに前記庫内凸部の前面または下面に前記ダクトと連通する冷気通風孔を設けたことを特徴とする。
【００１７】
これによって、庫内凸部の壁厚を利用して庫内へ冷気を循環させる冷気通風孔を設けることができ、冷却ダクト部を庫内に突出することなく、最上段の収納性を確保したままダクトを構成することができる。また、前方だけでなく下方にも吐出穴を設けることが可能となるため、下段の棚への冷却も容易にできる。さらに、比較的手前にあるため、冷えにくい最上段の棚やドア棚上部まで冷気が届きやすく、冷却効率が向上するとともに、庫内の温度バラツキも低減できる。
【００１８】
もちろん、前記圧縮機が断熱箱体底部にないので下段の貯蔵室の内容積と奥行きを拡大することができる。
【００１９】
また、請求項２に記載の発明は、前記冷気通風孔は前記庫内凸部の前面側下部の角部に設けたことを特徴とする。
【００２０】
これによって、庫内凸部の角部は圧縮機室と庫内側との壁厚が他の部分と比べて比較的厚く確保できるため、角部に冷気通風孔を設けることで壁厚が多少薄くなっても、充分な断熱性能を確保することができる。冷気通風孔の庫内に突出がより少なく、最上段の収納性を確保したままダクトを構成することができる。
【００２１】
また、請求項３に記載の発明は、請求項１または２に記載の冷蔵庫に加えて、前記庫内凸部に設けた前記冷気通風孔を正面から見て左右に離れて複数箇所に設けたことを特徴とする。これにより、背面の圧縮機を左右方向に中央寄りに配設できることから、前記圧縮機の吸入および突出配管部は正面からみて左右方向に配設することができ、配管溶接部を作業性のよい背面に直線部で構成できるとともに、断熱箱体の配管固定部とを距離をもって接続することができ、配管振動を低減することもできる。すなわち、背面側の圧縮機周辺の冷媒配管スペースを確保するとともに、庫内に突出することがないため、無効空間を削減できる。
【００２２】
また、請求項４に記載の発明は、請求項１から３に記載の冷蔵庫に加えて、前記庫内凸部に温度センサーを設けたもので、無効空間を削減できるとともに意匠的にもスッキリさせることができる。また、温度検知も多角的にできるため、精度の良い温度制御ができる。
【００２３】
また、請求項５に記載の発明は、請求項１から４に記載の冷蔵庫に加えて、冷蔵庫本体は、前記第二の天面部の冷蔵庫背面側で前記第二の天面部より低い位置に第三の天面部を有して、前記段差部より冷蔵庫背面側で前記段差部より低い位置に第二の段差部を形成し、前記第三の天面部の上方空間に制御基板と冷媒配管の一部を設け、前記第二の段差部と相対する庫内側に形成された庫内第二凸部に冷蔵庫庫内を冷却する冷気を通風するダクトを導くとともに前記庫内第二凸部に前記ダクトと連通する冷気通風孔を設けたもので、背面側に制御基板を配置しても、さらに冷却用ダクトを庫内へ突出させることなく、無効空間を削減できるとともに、さらに庫内の温度をより均一に冷やすことができる。
【００２４】
また、請求項６に記載の発明は、請求項１に記載の冷蔵庫に加えて、前記庫内凸部に設けた前記冷気通風孔を正面から見て少なくとも中心から左右方向に庫内幅の半分程度の範囲内に設けたもので、庫内側の凸角部は背面側に圧縮機があっても比較的に壁厚が確保できるため、冷却ダクト部を庫内に突出することなく、小型化でき、安価でつくることができる。さらに、前方だけでなく下方にも冷気通風孔を設けることが可能となるため、下段の棚への冷却も容易にできる。
【００２５】
（実施の形態１）
図１は、本発明の実施の形態１における冷蔵庫の概略断面図を示すものである。なお、背景技術と同一構成については同一符号を付す。
【００２６】
図１において、例えば硬質発泡ウレタンなどの断熱材で周囲と断熱して構成されている断熱箱体１は複数の断熱区画に区分されており、上から冷蔵室２、引出しタイプの野菜室４と冷凍室３の構成となっている。各断熱区画にはそれぞれ断熱扉がガスケット２２を介して設けられている。上から冷蔵室回転扉５、野菜室引出し扉７、冷凍室引出し扉６である。
【００２７】
冷蔵室回転扉５には扉ポケット２３が収納スペースとして設けられており、庫内には複数の収納棚８が設けられてある。また冷蔵室２の最下部には引出し可能な貯蔵ケース２４が設けてある。
【００２８】
冷蔵室２は冷蔵保存のために凍らない温度を下限に通常１〜５℃で設定されている。また、貯蔵ケース２４は肉魚などの保鮮性向上のため比較的低めの温度、たとえば−３〜１℃で設定される。野菜室４は冷蔵室２と同等もしくは若干高い温度設定の２℃〜７℃とすることが多い。低温にすれほど葉野菜の鮮度を長期間維持することが可能である。
【００２９】
冷凍室３は冷凍保存のために通常−２２〜−１８℃で設定されているが、冷凍保存状態の向上のために、たとえば−３０や−２５℃の低温で設定されることもある。
【００３０】
断熱箱体１の天部は背面方向に向かって階段状に凹みを設けて、第一の天面部２５と、第二の天面部２６と第三の天面部２７とで構成されており、第一の天面部２５と第二の天面部２６を前後方向に接続する面と第二の天面部２６とで段差部２６ａが形成されており、第二の天面部２６と第三の天面部２７とを前後方向に接続する面と第三の天面部２７とで第二の段差部２７ａが形成されている。
【００３１】
冷凍サイクルは圧縮機１６と凝縮器１７とキャピラリなどの減圧器２８と蒸発器２０とを環状に接続して構成されている。凝縮器１７と蒸発器２０は図示しない機械室ファンと冷却ファン２１とで強制対流熱交換させている。
【００３２】
また、凝縮器１７は強制対流方式のものに加えて、断熱箱体１の周囲鋼板を利用して自然放熱するための配管や、各室断熱扉体間の仕切りに配設して防滴防止を行うための配管を組み合わせてもよい。
【００３３】
冷凍サイクルの構成部品である圧縮機１６は断熱箱体１背面に向かって中央寄りの位置に設置してある。
【００３４】
凝縮器１７はワイヤータイプやフィンコイルタイプやスパイラルフィンタイプなどの薄型構成で第一の天面部２５の上方空間に配設してある。
【００３５】
段差部２６ａの相対する庫内凸部４０には冷気通風孔４２が設けてあり、庫内凸部に合せて階段状に形成されたダクトカバー４１で構成されている。ダクトカバー４１は図示しないビスまたは固定爪などで固定されている。冷気通風孔４２は冷蔵庫正面から見て前面と下面に設けてある。ダクトカバー４１で構成されるダクト４３は冷蔵室内を通り、途中、冷気流量制御するダンパー３９を介して、冷却ファン２１および蒸発器２０の位置する空間と連結されている。
【００３６】
冷凍サイクルを動作させる制御基板３２は第三の天面部２７の上方空間部に設けた基板収納部３３に取外し可能なカバーで密閉して配置されている。制御基板３２はプリント基板上に電子部品を実装するので薄く板状の形状をしている。また、第一、第二および第三の天面部２５、２６、２７の上方には天面カバー３４がビスなどで取外し可能に設けられており、背面は第三の天面部２７から上方まとめて一枚の背面カバー３５が取外し可能に設けられている。
【００３７】
また、冷凍サイクルの構成機器である蒸発器２０は冷却ファン２１と共に、中段に位置する野菜室４の背面部に設けられている。これにより最下段の貯蔵室である冷凍室３の内容積と奥行きを最大限に大きくすることが可能である。
【００３８】
なお、中段の野菜室４と最下段の冷凍室３は逆の構成となれば、野菜室の内容積と奥行きを最大限に大きくすることが可能となる。
【００３９】
以上のように構成された冷蔵庫について、以下その動作、作用を説明する。
【００４０】
まず、冷凍サイクルの動作について説明する。庫内の設定された温度に応じて制御基板３２からの信号により冷凍サイクルが動作して冷却運転が行われる。圧縮機１６の動作により吐出された高温高圧の冷媒は、凝縮器１７にて放熱して凝縮液化し、キャピラリ２８に至る。その後、キャピラリ２８ではサクションライン３６と熱交換しながら減圧されて低温低圧の液冷媒となって蒸発器２０に至る。蒸発器２０を出た冷媒はサクションライン３６を経て圧縮機１６へと吸い込まれる。
【００４１】
一方、冷却ファン２１の動作により、庫内の空気と熱交換されて蒸発器２０内の冷媒は蒸発気化する。ここで熱交換された低温の冷気をダンパー３９で分配および制御することで各室の冷却を行う。ダンパー３９を経由した冷気はダクト４３を通り、冷気通風孔４２から冷蔵室へ吐出され、庫内を冷却する。所定の温度になると図示しない温度センサーが検知して、ダンパー３９を閉じる制御を行う。以後この動作を繰り返す。
【００４２】
このように運転を繰り返して高温になる圧縮機１６や凝縮器１７を断熱箱体１の天面に配置することにより、熱のこもりによる断熱性能の低下がなく省エネに有利である。
【００４３】
また、庫内へのでっぱりを小さくすることで無効部による内容積の減少を低減できるとともに庫内を階段状にでっぱりを最小限にすることで段差を小さく目立たなくすることができる。
【００４４】
そして、庫内凸部４０には冷気通風孔４２が設けてあり、これによって、庫内凸部４０の角部は背面側に圧縮機１６があっても比較的に壁厚が確保できるため、冷却ダクト部を庫内に突出することなく、最上段の収納性を確保したまま冷却ダクトを構成することができる。
【００４５】
また、前方だけでなく下方にも冷気通風孔４２を設けることが可能となるため、下段の棚への冷却も容易にできる。さらに、比較的手前にあるため、冷えにくい最上段の収納棚８や扉ポケット２３上部まで冷気が届きやすく、冷却効率が向上するとともに、庫内の温度バラツキも低減できる。
【００４６】
さらに、冷えにくい最上段の収納棚８や扉ポケット２３上部まで冷気が届きやすくするためには、第一の天面部２５の相対する庫内天面１１に冷却用ダクトを設ける場合があるが、このときは大きく壁面より突出して、食品が当接して入らないことがある。本構成では、そういった庫内への突出がなく、庫内の収納性を阻害することはない。
【００４７】
もちろん、前記圧縮機が断熱箱体底部にないので下段の貯蔵室の内容積と奥行きを拡大することができる。
【００４８】
（実施の形態２）
図２は、本発明の実施の形態２における冷蔵庫の概略正面図を示すものであり、図３は概略背面図を示すものである。なお、背景技術と同一構成については同一符号を付す。
【００４９】
図２および図３において、冷蔵室背面にはダクトカバー４１が設けてあり、断熱箱体１と冷却用のダクト４３を構成している。ダクト４３はダンパー３９とつながっており、ダンパー３９より上部で冷蔵庫正面からみて左右方向に分岐している。また、第二の天面２６と相対する庫内凸部４０には、正面から見て左右に離れて冷気通風孔４２が複数箇所に設けており、背面の圧縮機１６は左右方向に中央寄りに配設され、圧縮機１６と接続された配管部４８は正面からみて左右方向に配設されている。また温度センサー４４は、庫内凸部４０のほぼ中央角部に配置され、ダクトカバー４１内に固定されている。
【００５０】
このため、ダクト４３を背面に配置された圧縮機１６の配管部の無効空間に突出させることができ、背面に十分な壁厚を確保することが可能になる。これにより、背面側の圧縮機周辺の冷媒配管スペースを確保するとともに，庫内に突出することがないため、無効空間を削減できる。
【００５１】
さらに、背面側の圧縮機１６の配管溶接部も作業性のよい背面に直線部で構成できるとともに、断熱箱体の配管固定部とを距離をもって接続することができるため、配管振動を低減することもできる。
【００５２】
また、冷気通風孔４２が左右に分散して配置できるため、庫内の温度バラツキ低減にも効果がある。
【００５３】
（実施の形態３）
図４は、本発明の実施の形態３における冷蔵庫の概略正面図を示すものであり、図５は概略断面図を示すものである。なお、背景技術と同一構成については同一符号を付す。
【００５４】
図４と図５において、第二の天面２６と相対する庫内凸部４０の角部には、庫内の温度を制御するための温度センサー４４がダクトカバー４１に取り付けられている。温度センサー４４は冷蔵室庫内の温度を検知し、所定の温度になるとダンパー３９を閉じ、所定温度以上になると、ダンパー３９を開放する制御に用いられる。
【００５５】
この構成により、庫内凸部４０の角部は背面側に圧縮機１６があっても比較的に壁厚が確保できるため、温度センサー４４を背面の温度影響を受けることなくかつ冷却ダクト部を庫内に突出することなく、構成することができる。また、前面および下面の庫内空気と接触することができるため、温度検知も多角的にでき、精度の良い温度制御ができる。
【００５６】
（実施の形態４）
図６は、本発明の実施の形態４における冷蔵庫の概略断面図を示すものである。なお、背景技術と同一構成については同一符号を付す。
【００５７】
図６において、背面方向に向かって階段状に凹みを設けて第一の天面部２５と第二の天面部２６と第三の天面部２７を形成した断熱箱体において、第一の天面部２５と第二の天面部２６を前後方向に接続する面と第二の天面部２６とで段差部２６ａが形成されており、第二の天面部２６と第三の天面部２７とを前後方向に接続する面と第三の天面部２７とで第二の段差部２７ａが形成されている。段差部２６ａと相対する庫内側に形成された庫内凸部４０と、第二の段差部２７ａと相対する庫内側に形成された庫内第二凸部５２にそれぞれ冷却用の冷気通風孔４２を設けてあり、前方だけでなく下方にも冷気通風孔４２を設けてある。
【００５８】
この構成により、背面側に制御基板３２を配置しても、さらに冷却用ダクトを庫内へ突出させることなく、無効空間を削減できるとともに、正面から見える冷気通風孔４２を増やすことなく、庫内をスッキリすることができ、さらに冷蔵室中段部への冷却も容易になり庫内の温度をより均一に冷やすことができる。
【００５９】
（実施の形態５）
図７は、本発明の実施の形態５における冷蔵庫の概略正面図を示すものである。なお、背景技術と同一構成については同一符号を付す。
【００６０】
図７において、第二の天面部２６と相対する庫内凸部４０に設けた冷気通風孔４２が正面から見て少なくとも中心から左右方向に庫内幅の半分程度の範囲内に設けてあり、ダクト構造は実施の形態１と同様である。
【００６１】
この構成により、庫内凸部４０の角部は背面側に圧縮機１６があっても比較的に壁厚が確保できるため、冷気は背面の温度影響を受けることなくかつ冷却ダクト部を庫内に突出することなく、構成することができるとともに、ダクトカバー４１も小型化でき、安価でつくることができる。しかも、前方だけでなく下方にも吐出穴を設けることが可能となるため、下段の棚への冷却も容易にできる。
【産業上の利用可能性】
【００６２】
以上のように、本発明による冷蔵庫は、人間が使う際に最も使いにくい場所に冷却システムのユニットを配置することにより、使いやすい室の収納量を拡大し、かつコンパクトな冷却ダクトにより、食品の出し入れの際の使い勝手を向上させることが可能となる。また、放熱効率のよい冷却システムとなり、消費電力量低減を図ることが可能となる。
【００６３】
以上のような効果から、冷蔵庫以外の冷凍機器等の用途にも適用できる。
【図面の簡単な説明】
【００６４】
【図１】本発明の実施の形態１における冷蔵庫の概略断面図
【図２】本発明の実施の形態２における冷蔵庫の概略正面図
【図３】本発明の実施の形態２における冷蔵庫の概略背面図
【図４】本発明の実施の形態３における冷蔵庫の概略正面図
【図５】本発明の実施の形態３における冷蔵庫の概略断面図
【図６】本発明の実施の形態４における冷蔵庫の概略断面図
【図７】本発明の実施の形態５における冷蔵庫の概略正面図
【図８】従来の冷蔵庫の概略断面図
【符号の説明】
【００６５】
１    断熱箱体
１６  圧縮機
１７  凝縮器
２５  第一の天面部
２６  第二の天面部
２６ａ  段差部
２７  第三の天面部
２７ａ  第二の段差部
３２  制御基板
４０  庫内凸部
４２  冷気通風孔
４４  温度センサー
４８  冷媒配管
５２  庫内第二凸部
【図１】
2006064330.tif 000003
【図２】
2006064330.tif 000004
【図３】
2006064330.tif 000005
【図４】
2006064330.tif 000006
【図５】
2006064330.tif 000007
【図６】
2006064330.tif 000008
【図７】
2006064330.tif 000009
【図８】
2006064330.tif 000010